(57)【要約】【課題】電流出力部を損傷させる可能性のある電圧を発生させる測定抵抗体の抵抗値を保守作業を行うことなく測定する。【解決手段】測定電流Ｉを出力する電流出力部２と測定抵抗体４１とを接続するオン状態および切断するオフ状態に移行可能な第１スイッチ３と、測定電流Ｉが流れたときに測定抵抗体４１に発生する電圧Ｖを検出する電圧検出部６と、第１スイッチ３に対する制御を実行してオフ状態に移行させるスイッチオフ処理、第１スイッチ３がオフ状態のときの電圧Ｖとしきい値Ｖｔｈとを比較する電圧比較処理、電圧比較処理での比較の結果、電圧Ｖがしきい値Ｖｔｈ以下のときに第１スイッチ３に対する制御を実行してオフ状態からオン状態に移行させるスイッチオン処理、および第１スイッチ３がオン状態のときの電圧Ｖの電圧値と測定電流Ｉの電流値とから測定抵抗体４１の抵抗値を算出する抵抗算出処理を実行する処理部９とを備えている。【選択図】図１
2013156019.tif 000002
【特許請求の範囲】
【請求項１】
測定抵抗体に測定電流を出力する電流出力部と、
前記測定抵抗体と前記電流出力部との間に配設されて、当該測定抵抗体と当該電流出力部とを接続するオン状態および切断するオフ状態のうちの任意の一方の状態に移行可能なスイッチと、
前記測定電流が前記測定抵抗体に流れることによって当該測定抵抗体に発生する電圧を検出して検出電圧として出力する電圧検出部と、
前記スイッチに対する制御を実行して前記オフ状態に移行させるスイッチオフ処理、前記スイッチが前記オフ状態のときに前記電圧検出部から出力される前記検出電圧と予め規定されているしきい値とを比較する電圧比較処理、当該電圧比較処理での比較の結果、前記検出電圧が前記しきい値以下のときに前記スイッチに対する制御を実行して前記オフ状態から前記オン状態に移行させるスイッチオン処理、および前記スイッチがオン状態のときに前記電圧検出部から出力される前記検出電圧の電圧値と前記測定電流の電流値とに基づいて前記測定抵抗体の抵抗値を算出する抵抗算出処理を実行する処理部とを備えている抵抗測定装置。
【請求項２】
前記電圧検出部は、前記しきい値を超える電圧を上限電圧とする高電圧範囲に含まれる第１電圧を検出する高電圧検出回路と、前記しきい値以下の電圧を上限電圧とする低電圧範囲に含まれる第２電圧を検出する低電圧検出回路とを備え、
前記処理部は、前記電圧比較処理のときには、前記高電圧検出回路を前記測定抵抗体に接続して前記第１電圧を前記検出電圧として出力させ、前記抵抗算出処理のときには、前記低電圧検出回路を前記測定抵抗体に接続して前記第２電圧を前記検出電圧として出力させる請求項１記載の抵抗測定装置。
【発明の詳細な説明】
【技術分野】
【０００１】
本発明は、測定抵抗体に測定電流を流したときに発生する電圧を測定して、この測定した電圧の電圧値と測定電流の電流値とに基づいて測定抵抗体の抵抗値を測定する抵抗測定装置に関するものである。
【背景技術】
【０００２】
この種の抵抗測定装置としては、下記特許文献に開示された抵抗測定装置が知られている。この抵抗測定装置は、一対の電流供給端子を介して測定抵抗体に測定電流を供給するオペアンプを含む定電流源と、測定電流によって測定抵抗体に生じる電圧を一対の電圧検出端子を介して検出すると共に検出した電圧（検出電圧）をデジタル信号に変換するＡ／Ｄコンバータを含む測定部とを備えている。この構成により、この抵抗測定装置では、測定電流の電流値と検出電圧とに基づいて、測定抵抗体の抵抗値が測定可能となっている。
【先行技術文献】
【特許文献】
【０００３】
【特許文献１】特開２００５−６９７８１号公報（第４−５頁、第１図）
【発明の概要】
【発明が解決しようとする課題】
【０００４】
ところが、上記の抵抗測定装置には、以下の改善すべき課題が存在している。すなわち、この抵抗測定装置では、定電流源から測定抵抗体に対して測定電流を供給するが、測定抵抗体が例えばモータや電源トランスなどの巻線（コイル）である場合には、巻線に誘導電圧が発生していることがあり、この誘導電圧が定電流源および測定部に印加される状態となる。この場合、電圧を測定する測定部は、一般的に入力インピーダンスが高いため、誘導電圧の印加によって過大な電流が流れ込むことは殆ど無いが、定電流源では、定電流源を構成する回路を駆動する電源の電圧を上回る電圧が外部から出力段に入力されたときには、出力段のこの外部からの電圧に対するインピーダンスが低くなるために誘導電圧の印加によって過大な電流が流れ込む可能性が高い。このため、抵抗測定装置では、定電流源の出力段にヒューズを設けて、誘導電圧の印加によって過大な電流が流れたときにはこのヒューズが溶断して定電流源を保護する構成を採用している。しかしながら、この構成を採用している抵抗測定装置には、測定抵抗体からの誘導電圧の印加によって溶断したヒューズの交換作業、つまり装置に対する保守作業が常に必要となり、手間がかかるという改善すべき課題が存在している。
【０００５】
本発明は、かかる課題を改善するためになされたものであり、電流出力部を損傷させる可能性のある電圧を発生させる測定抵抗体の抵抗値を保守作業を行うことなく測定し得る抵抗測定装置を提供することを主目的とする。
【課題を解決するための手段】
【０００６】
上記目的を達成すべく請求項１記載の抵抗測定装置は、測定抵抗体に測定電流を出力する電流出力部と、前記測定抵抗体と前記電流出力部との間に配設されて、当該測定抵抗体と当該電流出力部とを接続するオン状態および切断するオフ状態のうちの任意の一方の状態に移行可能なスイッチと、前記測定電流が前記測定抵抗体に流れることによって当該測定抵抗体に発生する電圧を検出して検出電圧として出力する電圧検出部と、前記スイッチに対する制御を実行して前記オフ状態に移行させるスイッチオフ処理、前記スイッチが前記オフ状態のときに前記電圧検出部から出力される前記検出電圧と予め規定されているしきい値とを比較する電圧比較処理、当該電圧比較処理での比較の結果、前記検出電圧が前記しきい値以下のときに前記スイッチに対する制御を実行して前記オフ状態から前記オン状態に移行させるスイッチオン処理、および前記スイッチがオン状態のときに前記電圧検出部から出力される前記検出電圧の電圧値と前記測定電流の電流値とに基づいて前記測定抵抗体の抵抗値を算出する抵抗算出処理を実行する処理部とを備えている。
【０００７】
請求項２記載の抵抗測定装置は、請求項１記載の抵抗測定装置において、前記電圧検出部は、前記しきい値を超える電圧を上限電圧とする高電圧範囲に含まれる第１電圧を検出する高電圧検出回路と、前記しきい値以下の電圧を上限電圧とする低電圧範囲に含まれる第２電圧を検出する低電圧検出回路とを備え、前記処理部は、前記電圧比較処理のときには、前記高電圧検出回路を前記測定抵抗体に接続して前記第１電圧を前記検出電圧として出力させ、前記抵抗算出処理のときには、前記低電圧検出回路を前記測定抵抗体に接続して前記第２電圧を前記検出電圧として出力させる。
【発明の効果】
【０００８】
請求項１記載の抵抗測定装置では、処理部が、抵抗値算出処理の前段階として、スイッチをオフ状態に移行させることで電流出力部と測定抵抗体とを切断するスイッチオフ処理、およびスイッチがオフ状態のときに電圧検出部から出力される検出電圧としきい値とを比較する電圧比較処理を実行して、検出電圧がしきい値以下のときにスイッチをオフ状態からオン状態に移行させるスイッチオン処理を実行する。
【０００９】
したがって、この抵抗測定装置によれば、測定抵抗体にしきい値を超える高い電圧（例えば誘導電圧）が発生している間は、スイッチをオフ状態に維持することにより、電流出力部を測定抵抗体から切断しておくことができるため、この高い電圧に起因して過大な電流が電流出力部に流れることで電流出力部が損傷するという事態の発生を確実に回避することができる。これにより、この抵抗測定装置によれば、このように電流出力部を損傷させる可能性のある電圧（誘導電圧）を発生させる測定抵抗体の抵抗値を、ヒューズ交換などの保守作業を行うことなく、確実に測定することができる。
【００１０】
また、請求項２記載の抵抗測定装置によれば、電圧検出部が高電圧検出回路および低電圧検出回路を備え、処理部は、スイッチがオフ状態のときに行う電圧比較処理では、高電圧検出回路を測定抵抗体に接続して高電圧範囲に含まれる電圧を検出し、スイッチがオン状態のときに行う抵抗算出処理では、低電圧検出回路を測定抵抗体に接続して低電圧範囲に含まれる電圧を検出する構成のため、電圧範囲の大きく異なる高電圧範囲および低電圧範囲に含まれる各電圧を共に十分な精度で測定することができる。
【図面の簡単な説明】
【００１１】
【図１】抵抗測定装置１の構成を示す構成図である。
【図２】高電圧検出回路ＨＶＣおよび低電圧検出回路ＬＶＣの動作を説明するための説明図である。
【図３】抵抗測定装置１の動作を説明するためのフローチャートである。
【発明を実施するための形態】
【００１２】
以下、抵抗測定装置の実施の形態について、添付図面を参照して説明する。
【００１３】
最初に、抵抗測定装置１の構成について、図面を参照して説明する。
【００１４】
抵抗測定装置１は、図１に示すように、電流出力部２、第１スイッチ３、一対の電流プローブ４ａ，４ｂ（特に区別しないときには「電流プローブ４」ともいう）、一対の電圧プローブ５ａ，５ｂ（特に区別しないときには「電圧プローブ５」ともいう）、電圧検出部６、時計部７、記憶部８、処理部９および出力部１０を備え、測定抵抗体４１の抵抗値Ｒを測定可能に構成されている。
【００１５】
電流出力部２は、直流定電流源または交流定電流源（本例では一例として、直流定電流源）で構成されて、予め規定された電流値Ｉａの定電流を一対の出力端子（不図示）から測定電流Ｉとして出力する。第１スイッチ３は、電流出力部２の一対の出力端子のうちの一方の出力端子と一方の電流プローブ４ａとの間に配設されて、オン状態のときには一方の出力端子と一方の電流プローブ４ａとを接続し、オフ状態のときには一方の出力端子と一方の電流プローブ４ａとを切断する。また、第１スイッチ３は、処理部９によって制御されて、オン状態およびオフ状態のうちの任意の一方の状態に移行する。また、他方の電流プローブ４ｂは、電流出力部２の他方の出力端子に接続されている。
【００１６】
電圧検出部６は、第２スイッチ１１、第１電圧アンプ１２、第２電圧アンプ１３、第３スイッチ１４およびＡ／Ｄ変換部１５を備えている。
【００１７】
第２スイッチ１１は、一方の電圧プローブ５ａと各電圧アンプ１２，１３のそれぞれの一対の入力端子（不図示）のうちの一方の入力端子との間に配設されている。また、第２スイッチ１１は、処理部９によって制御されて、第１電圧アンプ１２の一方の入力端子および第２電圧アンプ１３の一方の入力端子のうちの任意の一方を選択的に一方の電圧プローブ５ａに接続する。また、他方の電圧プローブ５ｂは、第１電圧アンプ１２の他方の入力端子および第２電圧アンプ１３の他方の入力端子のそれぞれに接続されている。
【００１８】
この構成により、一対の電圧プローブ５ａ，５ｂ間に発生する電圧Ｖは、第２スイッチ１１によって切り替えられて、第１電圧アンプ１２および第２電圧アンプ１３のうちの任意の一方に入力される。
【００１９】
第１電圧アンプ１２は、一例として、モータやトランスの巻線に発生する誘導電圧（交流電圧）を検出し得るように、オペアンプを使用した増幅回路（例えば、入力した交流電圧を増幅する交流増幅回路、および交流増幅回路から出力される交流電圧の振幅の絶対値を示す直流電圧に変換して出力する変換回路）で構成されている。具体的には、第１電圧アンプ１２は、図２に示すように、後述するしきい値Ｖｔｈを超える電圧を上限電圧Ｖｍａｘ１とし、ゼロボルトを下限値とする高電圧範囲ＷＨに振幅の絶対値が含まれる交流電圧（第１電圧）を検出すると共に、この高電圧範囲ＷＨがＡ／Ｄ変換部１５の入力定格（上限値Ｖｉｍａｘ）の範囲に適合するように、所定の増幅率で増幅して（図２では減衰させて）電圧Ｖ２として出力する。
【００２０】
第２電圧アンプ１３は、一例として、オペアンプを使用した直流増幅回路で構成されて、図２に示すように、しきい値Ｖｔｈ以下の電圧を上限電圧Ｖｍａｘ２とし、ゼロボルトを下限値とする低電圧範囲ＷＬに含まれる電圧（第２電圧）を検出すると共に、この低電圧範囲ＷＬがＡ／Ｄ変換部１５の入力定格（上限値Ｖｉｍａｘ）の範囲に適合するように、所定の増幅率で増幅して電圧Ｖ３として出力する。
【００２１】
第３スイッチ１４は、Ａ／Ｄ変換部１５の入力端子と各電圧アンプ１２，１３のそれぞれの出力端子（不図示）との間に配設されている。また、第３スイッチ１４は、処理部９によって制御されて、第１電圧アンプ１２の出力端子および第２電圧アンプ１３の出力端子のうちの任意の一方を選択的にＡ／Ｄ変換部１５の入力端子に接続する。
【００２２】
Ａ／Ｄ変換部１５は、第１電圧アンプ１２から出力される電圧Ｖ２および第２電圧アンプ１３から出力される電圧Ｖ３のうちの第３スイッチ１４によって選択された一方の電圧を電圧Ｖ４として入力する。また、Ａ／Ｄ変換部１５は、入力している電圧Ｖ４を予め規定された周波数のサンプリングクロック（図示せず）に同期してサンプリングすることにより、電圧Ｖ４の振幅を示す電圧データＤｖに変換して出力する。
【００２３】
以上のように構成された電圧検出部６において、第１電圧アンプ１２およびＡ／Ｄ変換部１５は高電圧検出回路ＨＶＣを構成して、高電圧範囲ＷＨに含まれる電圧Ｖを検出すると共に検出した電圧Ｖを予め規定された増幅率で増幅して電圧Ｖ４を生成し、この電圧Ｖ４の振幅を示す電圧データＤｖを出力する。また、第２電圧アンプ１３およびＡ／Ｄ変換部１５は低電圧検出回路ＬＶＣを構成して、低電圧範囲ＷＬに含まれる電圧Ｖを検出すると共に検出した電圧Ｖを予め規定された増幅率で増幅して電圧Ｖ４を生成し、この電圧Ｖ４の振幅を示す電圧データＤｖを出力する。したがって、電圧検出部６は、一対の電圧プローブ５ａ，５ｂ間に発生する電圧Ｖを、高電圧検出回路ＨＶＣおよび低電圧検出回路ＬＶＣのいずれか一方の回路で検出して、その振幅に応じて値が変化する電圧データＤｖに変換して出力する。
【００２４】
時計部７は、例えばＲＴＣ（Real Time Clock ）を備えて構成されて、現在の日時データＤｄａを出力する。記憶部８は、例えば、ＲＡＭなどの半導体メモリや、ＨＤＤ（Hard Disk Drive ）で構成されて、電圧Ｖについてのしきい値Ｖｔｈが予め記憶されている。この場合、しきい値Ｖｔｈは、測定抵抗体４１にしきい値Ｖｔｈと同一の電圧Ｖが発生している状態において、電流出力部２が測定抵抗体４１に第１スイッチ３を介して接続されたとしても、この電圧Ｖによって電流出力部２に流れる電流で電流出力部２が損傷しない電圧値に規定されている。また、記憶部８には、後述する記録データＤｒが処理部９によって記憶される。
【００２５】
処理部９は、ＣＰＵなどを備えて構成されて、第１スイッチ３、第２スイッチ１１および第３スイッチ１４に対する制御処理として、第１スイッチ３をオン状態からオフ状態に移行させるスイッチオフ処理、第１スイッチ３をオフ状態からオン状態に移行させるスイッチオン処理、第２スイッチ１１および第３スイッチ１４を切り替えるスイッチ切替処理を実行する。また、処理部９は、図３に示す抵抗測定処理５０を実行する。この場合、処理部９は、この抵抗測定処理５０において、上記の各スイッチ３，１１，１４に対する制御処理と共に、電圧検出部６の一部として機能して電圧データＤｖに基づいて電圧Ｖ（検出電圧）の電圧値Ｖａを算出する電圧算出処理を実行する。また、処理部９は、抵抗測定処理５０において、算出した電圧値Ｖａとしきい値Ｖｔｈとを比較する電圧比較処理、電圧値Ｖａと測定電流Ｉの電流値Ｉａとに基づいて測定抵抗体４１の抵抗値Ｒを算出する抵抗算出処理、および算出した測定抵抗体４１の抵抗値Ｒについての時間的変動を示す記録データＤｒ（抵抗値Ｒとこの抵抗値Ｒが測定された日時を含むデータ）を予め規定された時間間隔で記憶部８に記憶させるロギング処理を実行する。また、処理部９は、ロギング処理によって記憶部８に記憶させた記録データＤｒを出力する出力処理を実行する。
【００２６】
出力部１０は、一例として、液晶ディスプレイなどの表示装置で構成されて、処理部９から入力した記録データＤｒを画面上に表示する。なお、表示装置に代えて、外部装置とデータ通信を行うインターフェース装置で構成して、この外部装置に記録データＤｒを出力する構成を採用することもできる。
【００２７】
次に、抵抗測定装置１の動作について図３を参照して説明する。一例として、モータの巻線を測定抵抗体４１として、その抵抗値Ｒを測定する例を挙げて説明する。
【００２８】
まず、処理部９は、抵抗測定装置１の作動開始時において、スイッチオフ処理を実行することにより、第１スイッチ３をオン状態からオフ状態に移行させる制御を行う。これにより、電流出力部２と電流プローブ４ａとが切断される。また、処理部９は、スイッチ切替処理を実行して第２スイッチ１１および第３スイッチ１４を切り替えることにより、第１電圧アンプ１２が一対の電圧プローブ５間に発生する電圧Ｖを検出してＡ／Ｄ変換部１５に出力する状態に移行させる（高電圧検出回路ＨＶＣが作動する状態に切り替える）。
【００２９】
次いで、オペレータが、モータへの電源供給を停止して、一対の電流プローブ４および一対の電圧プローブ５を測定抵抗体４１としての巻線の各端子に接触させる。
【００３０】
抵抗測定装置１では、高電圧検出回路ＨＶＣの第１電圧アンプ１２が、電流出力部２から測定電流Ｉが供給されていない状態の測定抵抗体４１に発生する電圧Ｖを検出して電圧Ｖ２を出力し、高電圧検出回路ＨＶＣのＡ／Ｄ変換部１５が、第３スイッチ１４を介してこの電圧Ｖ２を電圧Ｖ４として入力して、その振幅を示す電圧データＤｖを処理部９に出力する。
【００３１】
この状態において、処理部９は、抵抗測定処理５０を実行する。この抵抗測定処理５０では、処理部９は、まず、電圧算出処理を実行する（ステップ５１）。この電圧算出処理において処理部９は、電圧検出部６から入力した電圧データＤｖと高電圧検出回路ＨＶＣの増幅率（既知）とに基づいて、電圧Ｖ（検出電圧）の電圧値Ｖａを算出する。
【００３２】
次いで、処理部９は、電圧比較処理を実行する（ステップ５２）。この電圧比較処理では、処理部９は、算出した電圧Ｖの電圧値Ｖａと記憶部８から読み出したしきい値Ｖｔｈとを比較する。処理部９は、この比較の結果、電圧値Ｖａがしきい値Ｖｔｈを超えているときには、再度、ステップ５１に移行して、電圧値Ｖａがしきい値Ｖｔｈ以下となるまで、上記した電圧算出処理およびこの電圧比較処理を繰り返し実行する。
【００３３】
本例のようにモータの巻線を測定抵抗体４１としてその抵抗値Ｒを測定しているときには、モータへの電源供給を停止した後のしばらくの間は、モータの回転子（ローター）が惰性で回転しているため、巻線には誘導電圧が電圧Ｖとして発生しているが、回転子は徐々にその回転数を低下させてその後に停止する。したがって、測定抵抗体４１に発生している誘導電圧に基づく電圧Ｖも徐々に低下して、ゼロボルトに達する。
【００３４】
これにより、処理部９は、電圧比較処理の開始当初における比較結果が、電圧値Ｖａがしきい値Ｖｔｈを超えている内容であったとしても、その後の電圧比較処理において、電圧値Ｖａがしきい値Ｖｔｈ以下となるという比較結果を得ることになる。
【００３５】
処理部９は、この比較結果（Ｖａ≦Ｖｔｈ）を得たときには、スイッチオン処理を実行することにより、第１スイッチ３をオフ状態からオン状態に移行させる（ステップ５３）。これにより、電流出力部２と電流プローブ４ａとが第１スイッチ３を介して接続される。この場合、測定抵抗体４１に発生している誘導電圧に基づく電圧Ｖの電圧値Ｖａがしきい値Ｖｔｈ以下（具体的には、ゼロボルト）に低下しているため、この電圧Ｖに起因して電流出力部２に過大な電流が流れるといった事態、つまり、測定抵抗体４１に発生する誘導電圧に基づく電圧Ｖで電流出力部２が損傷するという事態の発生は回避されている。
【００３６】
一方、電流出力部２から一対の電流プローブ４を介して測定抵抗体４１に測定電流Ｉが出力されるため、測定抵抗体４１には、この測定電流Ｉが流れることによる電圧降下に基づく電圧Ｖが発生する。この場合、一般的に、モータやトランスの巻線の抵抗値Ｒは、大きくても数オーム程度であるため、上記の電圧降下に基づく電圧Ｖの電圧値Ｖａは、図２に示すように、しきい値Ｖｔｈよりも十分に低い電圧値（低電圧範囲ＷＬに含まれる電圧値）となる。
【００３７】
次いで、処理部９は、スイッチ切替処理を実行して（ステップ５４）、第２スイッチ１１および第３スイッチ１４に対する切り替え制御を行うことにより、第２電圧アンプ１３が一対の電圧プローブ５間に発生する電圧Ｖを検出してＡ／Ｄ変換部１５に出力する状態に切り替える（低電圧検出回路ＬＶＣが作動する状態に切り替える）。
【００３８】
これにより、低電圧検出回路ＬＶＣの第２電圧アンプ１３が、測定電流Ｉが供給されている状態において測定抵抗体４１に発生する上記の電圧Ｖを検出して電圧Ｖ３を出力する。また、低電圧検出回路ＬＶＣのＡ／Ｄ変換部１５が、第３スイッチ１４を介してこの電圧Ｖ３を電圧Ｖ４として入力して、その振幅を示す電圧データＤｖを処理部９に出力する。
【００３９】
続いて、処理部９は、電圧算出処理（ステップ５５）、抵抗値算出処理（ステップ５６）およびロギング処理（ステップ５７）を、時計部７から出力される日時データＤｄａに基づいて予め規定された時間間隔で繰り返し実行する。この場合、処理部９は、電圧算出処理では、低電圧検出回路ＬＶＣから出力される電圧データＤｖと低電圧検出回路ＬＶＣの増幅率（既知）とに基づいて電圧Ｖ（検出電圧）の電圧値Ｖａを算出し、抵抗値算出処理では、算出した電圧値Ｖａと測定電流Ｉの電流値Ｉａとに基づいて測定抵抗体４１の抵抗値Ｒを算出する。また、処理部９は、ロギング処理では、算出した抵抗値Ｒを、時計部７から出力された日時データＤｄａと共に記憶部８に順次記憶させる。これにより、記憶部８には、測定抵抗体４１の抵抗値Ｒについての時間的変動を示す記録データＤｒ（抵抗値Ｒとこの抵抗値Ｒが測定された日時を含むデータ）が記憶される。
【００４０】
また、図示はしないが、処理部９は、上記ステップ５５，５６，５７を実行している際に、定期的に出力処理を実行して、ロギング処理において記憶部８に記憶された記録データＤｒを出力部１０に出力する。また、処理部９は、上記ステップ５５，５６，５７を実行している際に、ステップ５５において算出した電圧Ｖが低電圧範囲ＷＬ（上限電圧Ｖｍａｘ２とする電圧範囲）を超えたときには、電圧プローブ５と測定抵抗体４１との接触状態が解除されたと判別し、また、算出した電圧Ｖがほぼゼロボルトになったときには、電流プローブ４と測定抵抗体４１との接触状態が解除されたと判別して、いずれの場合においても抵抗測定処理５０を終了させる。また、この際には、処理部９は、スイッチオフ処理を実行することにより、第１スイッチ３をオン状態からオフ状態に移行させて、電流出力部２と電流プローブ４ａを切断する。
【００４１】
このように、この抵抗測定装置１では、処理部９が、抵抗値算出処理の前段階として、第１スイッチ３をオフ状態に移行させることで電流出力部２と測定抵抗体４１とを切断するスイッチオフ処理、第１スイッチ３がオフ状態のときに電圧検出部６から出力される電圧データＤｖに基づいて電圧検出部６の一部として機能して電圧Ｖ（検出電圧）の電圧値Ｖａを算出する電圧算出処理、およびこの電圧値Ｖａと予め規定されたしきい値Ｖｔｈとを比較する電圧比較処理を実行して、電圧値Ｖａがしきい値Ｖｔｈ以下のときに第１スイッチ３をオフ状態からオン状態に移行させるスイッチオン処理を実行する。
【００４２】
したがって、この抵抗測定装置１によれば、測定抵抗体４１にしきい値Ｖｔｈを超える高い誘導電圧が発生している間は、第１スイッチ３をオフ状態に維持することにより、電流出力部２を測定抵抗体４１から切断しておく（切り離しておく）ことができるため、この誘導電圧に起因して過大な電流が電流出力部２に流れることで電流出力部２が損傷するという事態の発生を確実に回避することができる。これにより、この抵抗測定装置１によれば、このように電流出力部２を損傷させる可能性のある電圧Ｖ（誘導電圧）を発生させる測定抵抗体４１の抵抗値Ｒを、ヒューズ交換などの保守作業を行うことなく、確実に測定することができる。
【００４３】
また、この抵抗測定装置１では、電圧検出部６が高電圧検出回路ＨＶＣおよび低電圧検出回路ＬＶＣを備え、処理部９は、第１スイッチ３がオフ状態のときに行う電圧比較処理では、高電圧検出回路ＨＶＣを測定抵抗体４１に接続して高電圧範囲ＷＨに含まれる電圧Ｖを検出し、第１スイッチ３がオン状態のときに行う抵抗算出処理では、低電圧検出回路ＬＶＣを測定抵抗体４１に接続して低電圧範囲ＷＬに含まれる電圧Ｖを検出する。
【００４４】
したがって、この抵抗測定装置１によれば、電圧範囲の大きく異なる高電圧範囲ＷＨおよび低電圧範囲ＷＬに含まれる各電圧Ｖを共に十分な精度で測定することができる。
【００４５】
なお、上記の構成に限定されない。例えば、コンパレータを用いて高電圧検出回路ＨＶＣを構成して、測定抵抗体４１に発生する電圧Ｖとしきい値Ｖｔｈとの比較結果を処理部９に出力する構成を採用することもできる。また、例えば、高電圧検出回路ＨＶＣおよび低電圧検出回路ＬＶＣに代えて、電圧Ｖを整流・平滑する整流平滑回路、およびこの整流・平滑回路から出力される直流電圧を増幅して電圧Ｖ４として出力する電圧アンプで構成される１つの電圧検出回路を有する構成を採用することもできる。これらの構成を採用したときには、第２スイッチ１１および第３スイッチ１４を省略することができると共に、電圧アンプを１つに削減することができるため、製品コストを大幅に低減することができる。
【符号の説明】
【００４６】
１  抵抗測定装置
２  電流出力部
３  第１スイッチ
６  電圧検出部
９  処理部
４１  測定抵抗体
ＨＶＣ  高電圧検出回路
Ｉ  測定電流
ＬＶＣ  低電圧検出回路
Ｒ  抵抗値
Ｖ  電圧
Ｖｔｈ  しきい値
【図１】
2013156019.tif 000003
【図２】
2013156019.tif 000004
【図３】
2013156019.tif 000005